(57)【特許請求の範囲】
【請求項１】
一対の側板と、背板と、該背板の下に配され、対向する前記側板間を連結した桟木とを少なくとも有する、底側が開放された収納ユニットにおける前記側板、前記背板間の連結を補強する連結補強具であって、
前記側板の板面より突出するように配される第１水平片と、前記桟木の板面より突出するように配される第２水平片とが一体化された平面視Ｌ字形状の水平板片を有しており、前記第１水平片には、前記側板の板面に固定される第１固定片が下方に折曲、延出され、前記第２水平片には、前記桟木の板面に固定される第２固定片が下方に折曲、延出されており、
前記桟木は、前記背板よりも厚みが厚く、前記背板を下方より支持しており、
前記水平板片の上面と、前記桟木の上端面とが略面一となるように、前記第１固定片が前記側板に固定され、前記第２固定片が前記桟木に固定され、前記第１固定片、前記第２固定片に取り付けた固定具を前記水平板片で覆い隠したことを特徴とする連結補強具。
【請求項２】
請求項１において、
前記水平板片は、第１水平片と第２水平片とが交差した屈曲部の内側隅部がさらに内側に突出した形状とされることを特徴とする連結補強具。
【請求項３】
請求項１または２において、
前記第１水平片の長手方向の寸法は、側板の奥行き寸法とほぼ同等、あるいはやや小とされることを特徴とする連結補強具。
【発明の詳細な説明】
【技術分野】
【０００１】
本発明は、底側が開放された収納ユニットにおいて、側板、背板間の連結を補強する連結補強具に関する。
【背景技術】
【０００２】
この種の収納ユニットは底板がないため、通例では、対向する側板間を後端部において桟木で連結して構造が強化されている。このものでも、開き戸が開閉した際などには、開き戸を取り付けた側板が左右に振れるおそれがある。つまり、このような構造のものは、下部において側板、背板間の入り隅角度が変動しやすい。
【０００３】
そのため、この種の収納ユニットには、上記のような側板の振れが起きにくい補強構造が必要とされ、従来には、側板、背板間の連結補強具としてＬ型金具が種々提案されている（たとえば、特許文献１参照）。
【０００４】
この文献のＬ型金具は、Ｌ字形状の水平板片を側板と背板の連結角部の下端にあてがい、水平板片より上方に折曲された固定片を側板と背板のそれぞれの内側の板面に沿わせるようにしてビス等で固着するものである。
【先行技術文献】
【特許文献】
【０００５】
【特許文献１】特開２０１１−１０３９８９号公報
【発明の概要】
【発明が解決しようとする課題】
【０００６】
しかしながら、特許文献１のＬ型金具は、側板、背板間の入り隅に直接的にあてがって角度の変動を阻止する形状とはなっていない。したがって、このＬ型金具を用いても側板の振れ防止の万全な対策とはなり得ない。また、このものは、Ｌ型金具を側板と背板の下端にあてがって固定する構造であるので、下端面に凹凸ができ、床面に直接設置するように施工する場合にはがたつきが生じてしまう。
【０００７】
さらに、同文献の図５に示されたような一般的なＬ型金具は、側板、背板間の入り隅に直接的にあてがわれるものであるが、そもそも板材を折曲させただけの構造であるため、厚みが小さく、それだけでは剛性を強化する対策としては不十分である。
【０００８】
本発明は、このような事情を考慮して提案されたもので、その目的は、下部において側板、背板間を、入り隅角度の変動を極力抑えられるように強固に連結して、収納ユニットの剛性を向上させることができる連結補強具を提供することにある。
【課題を解決するための手段】
【０００９】
上記目的を達成するために、本発明の連結補強具は、一対の側板と、背板と、背板の下に配設され、対向する側板間を連結した桟木とを少なくとも有する、底側が開放された収納ユニットにおける側板、背板間の連結を補強する連結補強具であって、側板の板面より突出するように配される第１水平片と、桟木の板面より突出するように配される第２水平片とが一体化された平面視Ｌ字形状の水平板片を有しており、第１水平片には、側板の板面に固定される第１固定片が下方に折曲、延出され、第２水平片には、桟木の板面に固定される第２固定片が下方に折曲、延出されており、桟木は、背板よりも厚みが厚く、背板を下方より支持しており、水平板片の上面と、桟木の上端面とが略面一となるように、第１固定片が側板に固定され、第２固定片が桟木に固定され、第１固定片、第２固定片に取り付けた固定具を水平板片で覆い隠したことを特徴とする。
【発明の効果】
【００１０】
本発明の連結補強具によれば、上述した構成となっているため、側板、背板間を、入り隅角度の変動を極力抑えられるように強固に連結でき、それにより収納ユニットの剛性を向上させることができる。
【図面の簡単な説明】
【００１１】
【図１】本発明の一実施形態に係る連結補強具の説明図である。（ａ）は一方側の連結補強具の斜視図、（ｂ）は同連結補強具の裏面側の斜視図、（ｃ）は同連結補強具の展開図、（ｄ）は（ａ）の図におけるＡ−Ａ線に対応した縦断面図である。
【図２】（ａ）は連結補強具が取り付けてある収納ユニットの部分拡大斜視図、（ｂ）は同収納ユニットの横断面図（桟木の上端面に合わせて切断したもの）である。
【図３】連結補強具の取り付け対象である収納ユニットの取り付け状態を示した斜視図である。
【図４】収納ユニットの他の設置態様例を示す横断面図（桟木の上端面に合わせて切断したもの）である。
【発明を実施するための形態】
【００１２】
以下に、本発明の実施の形態について、添付図面をもとに説明する。図１〜図４は、本実施形態に係る連結補強具１０の説明図である。なお、図４は図３に示した収納ユニット２０の他の設置態様例を示した図である。
【００１３】
以下の実施形態では、連結補強具１０の取り付け対象である収納ユニット２０が壁面１に取り付けられた状態を基準として、上下左右前後等の方向を定め、また収納ユニット２０の棚板２６が設けられている面を内面、その反対側を外面として定めた。なお、左右については、壁面１に向かって見た場合の左、右を基準とした。
【００１４】
図１に示した連結補強具１０は、底側が開放された収納ユニット２０（図３参照）における側板２１、２２、背板２３間の連結を補強する連結具である。この収納ユニット２０は、一対の側板２１、２２と、背板２３と、背板２３の下に配設され、対向する側板２１、２２間を連結した桟木２５とを少なくとも有する。この連結補強具１０は、側板２１の板面より突出するように配される第１水平片１１ａと、桟木２５の板面より突出するように配される第２水平片１１ｂとが一体化された平面視Ｌ字形状の水平板片１１を有している。また、図１および図２に示すように、連結補強具１０の第１水平片１１ａには、側板２１の板面に固定される第１固定片１３が折曲、延出され、第２水平片１１ｂには、桟木２５の板面に固定される第２固定片１４が折曲、延出されている。
【００１５】
まず、この連結補強具１０の取り付け対象である収納ユニット２０の詳細な構成、形状について説明する。
【００１６】
連結補強具１０の取り付け対象である収納ユニット２０は、図３に示すように、壁面１に取り付け固定される箱型の収納体である。この収納ユニット２０は、天板２４と、左右の２枚の側板２１、２２と、背板２３と、桟木２５と、複数の棚板２６とを備えており、底板はなく、底側は開放されている。図３に示したものは、収納ユニット２０が壁面１に取り付けられた状態で、収納体の下端である側板２１、２２の下端が床面２から離間した高さ位置にある。たとえば、この収納ユニット２０は玄関土間に下端を離間させて設置される。たとえば、ゴルフバッグなどの長手の物が、その収納ユニット２０の下方の空間を生かして、下部を露出させた状態で縦置されるようになっている。
【００１７】
天板２４は、左右方向に長尺な略矩形平板状とされており、側板２１、２２の上端部に架け渡されるようにして固定されている。天板２４の板幅寸法（前後寸法）は、左側に配された側板２１の板幅寸法と略同寸法とされている。側板２１、２２は、上下方向に長尺な略矩形平板状とされ、左側の側板２１の奥行き寸法が右側の側板２２のそれよりも大きい。左側の側板２１が前方に少し大きく突出した寸法となっているのは、後述するように、扉２９のヒンジ部を設けるためである。
【００１８】
上端が天板２４を介して連結された左右の側板２１、２２の後端側の下端部間には、桟木２５が両側板２１、２１に挟まれるように固定されている。つまり、両方の側板２１、２２は、上下端において他の部材を介して連結されている。
【００１９】
また、桟木２５の上端面２５ａと天板２４の裏面との間には、それらに挟まれるように背板２３が配されている。この背板２３と側板２１、２２とは、上下方向の複数個所においてＬ型金具（不図示）で連結されている。なお、背板２３は、複数枚で分離構成されたものであってもよい。
【００２０】
天板２４と、両側板２１、２２と、背板２３とで囲まれた内部の収納空間２８には複数の棚板２６が配設されている。棚板２６は略矩形平板状とされており、図３の収納ユニット２０には、可動式、固定式のものが側板２１、２２間に配設されている。
【００２１】
また、図３では不図示であるが、収納ユニット２０の前面側には、折戸（図２（ｂ）参照）や開き戸などの扉２９が左の側板２１の前端部内側にヒンジ結合され、配設されている。なお、扉２９は開き戸に限られず引戸であってもよい。
【００２２】
さらに、上記の収納ユニット２０と左右対称形状とされる他の収納ユニット２０（右側に奥行き寸法の大きい側板２１が配されたもの）を、図３の２点鎖線で示すように側板２２、２２同士を接触または近接させるようにして並べることもできる。なお、このような連設収納ユニット２０Ａ（図４参照）については、図４の説明とともに後述する。
【００２３】
収納ユニット２０は以上のような構成とされ、上述したように、底板がなく底側が開放されている。この収納ユニット２０は、側板２１、２２間をつなぐ底板がないことにより剛性を低下させないために、上述したように側板２１、２２間が桟木２５で連結強化されている。この桟木２５は背板２３を下方より支持している。そして、本収納ユニット２０では、さらなる剛性の強化のために、上述した連結補強具１０が取り付けられるようになっている。
【００２４】
連結補強具１０は、収納ユニット２０の収納空間２８側に面した、図３の破線で示した部位に取り付けられるＬ字形状の連結具である。つまり、連結補強具１０は左側の側板２１の板面と、桟木２５の板面と、それらの間の入り隅２７とに接するように取り付けられる。本実施形態の例では、連結補強具１０の後述する水平板片１１の上面の高さ位置が、桟木２５の上端面２５ａに概ね合致するように取り付けられている。なお、右側の側板２２と、桟木２５とには他の連結補強具１０（図２（ｂ）参照）が取り付けられる。
【００２５】
つぎに、連結補強具１０の詳細な構成、形状および取り付け態様について、図１（ａ）〜（ｄ）および図２（ａ）（ｂ）を参照しながら説明する。この連結補強具１０は、収納ユニット２０の左側に取り付ける金属製の連結具である。右側に取り付ける他の連結補強具１０は、図１に示したものとは異なる部材ではあるが、図２（ｂ）に示したように平面視で左右対称形状であるため、斜視図、展開図については図示を省略した。また、両連結補強具１０の各部の寸法は同一である。右側の連結補強具１０の各部については、図２（ｂ）において、左側の連結補強具１０と同じ符号を付した。なお、本実施形態の図３に示した収納ユニット２０の場合、右側の側板２２は扉２９が取り付けられていないため、左側の側板２１ほどに左右に振れるおそれはない。そのため、右側の側板２２には連結補強具１０を取り付けなくてもよい。
【００２６】
連結補強具１０の水平板片１１は、水平板片１１を構成する第１水平片１１ａと第２水平片１１ｂとが屈曲部１２を介して連成され平面視Ｌ字形状とされている。第１水平片１１ａの幅方向の一方の端部には下方に折曲、延出された第１固定片１３が形成され、第２水平片１１ｂの幅方向の一方の端部には下方に折曲、延出された第２固定片１４が形成されている。
【００２７】
第１水平片１１ａの長手方向の寸法は、側板２１の奥行き寸法よりもやや小とされる。連結補強具１０を収納ユニット２０に取り付けたときに、長手方向の先端から側板２１の前端までの平面スペースは、扉２９を側板２１にヒンジ結合にて取り付けるための、扉２９の厚さ寸法に概ね合致したスペースである。なお、右側の側板２２にはヒンジ結合用のスペースはなく、その寸法はやや小さく、他の連結補強具１０（図２（ｂ）参照）の第１水平片１１ａの長手方向の寸法とほぼ一致している。もちろん、連結補強具１０の第１水平片１１ａが側板２２の前端よりも突出することはない。
【００２８】
また、第２水平片１１ｂの長手方向の寸法は、図例のものでは、第１水平片１１ａの１／２よりも小さく、１／３よりは大きい。
【００２９】
第１水平片１１ａはその長手方向の全長にわたり略均一な幅寸法とされ、長手方向の開放側（前方）の端部では、安全性を配慮して内側の角部が丸みのある形状となっている。第２水平片１１ｂも同様に、長手方向の全長にわたり略均一な幅とされ、長手方向の開放側（右側）の端部では、内側の角部が丸みのある形状となっている。
【００３０】
また、第１水平片１１ａと第２水平片１１ｂとが交差した屈曲部１２の内側隅部１２ａは、内側（収納空間２８側）に少し突出した形状となっている。本図例では、水平板片１１の内側隅部１２ａを含む平面視の内側ライン形状が、矩形において角部を湾曲（アール）状に切り取った形状となっている。なお、湾曲状に限られず傾斜直線状であってもよい。また、第１水平片１１ａと第２水平片１１ｂとの交差角度は、側板２１と桟木２５（背板２３）との入り隅２７の適正な角度に合致したもので、略９０度とされる。
【００３１】
一方、第１、第２固定片１３、１４は、それぞれの長手方向の全長にわたり略均一な幅寸法とされ、それぞれ長手方向に沿って、側板２１、桟木２５へ固定するための固定具用の複数の挿通孔１３ａ、１４ａが開設されている。
【００３２】
また、第１、第２固定片１３、１４は相互に直接的な連結はなされておらず、屈曲部１２の外側において隙間を介して隣接している。連結補強具１０は、具体的には、図１（ｃ）に示すような１枚の板状体を折曲形成して成形されている。なお、図１（ｃ）に示すように、屈曲部１２の出隅部１２ｂの上端に相当する角部は、折曲形成時のクラックの発生を回避するために孔状に切り取られている。
【００３３】
また、第１水平片１１ａと第１固定片１３とのなす角度は、図１（ｄ）に示すように略９０度である。第２水平片１１ｂと第２固定片１４とについても、不図示ではあるが、略９０度で折曲されている。したがって、第１、第２固定片１３、１４の少なくとも一方を、その長手方向の辺縁が略水平となるように鉛直面に取り付けるようにすれば、水平板片１１は自ずと略水平な状態となる。
【００３４】
本実施形態では、図２（ａ）に示すように、連結補強具１０は、屈曲部１２の出隅部１２ｂ（図１（ａ）（ｂ）参照）が側板２１と桟木２５との間の入り隅２７にあてがわれるようにビス等の固定具で取り付けられるようになっている。図２（ａ）の例では、連結補強具１０の水平板片１１の面の高さ位置が、両方の側板２１、２２間に固定された桟木２５の上端面２５ａの高さ位置と概ね合致している。
【００３５】
図２（ｂ）に示すように、連結補強具１０を収納ユニット２０に正しく取り付ければ、水平板片１１は、側板２１、入り隅２７、桟木２５のそれぞれとの間にほとんど隙間ができないように配されるようになる。もちろん、右側の連結補強具１０についても同様である。
【００３６】
このように、連結補強具１０は水平板片１１が入り隅２７に隙間なく配され固定されるため、側板２１、背板２３間の連結が強化され、なおかつ側板２１と背板２３とのなす角度が変動することを防止できる。そのため、収納ユニット２０の剛性を向上させることができる。
【００３７】
また、本連結補強具１０は、従来の収納体の連結構造として用いられている薄型のＬ型金具とは異なり、薄板材で形成されているものの、第１、第２水平片１１ａ、１１ｂが水平方向に突出するように、水平方向に広がりをもって形成されている。したがって、本連結補強具１０は、水平方向など横方向への負荷には強く、扉２９の開閉にともない大きな負荷がかかる側板２１の振れ防止には、特に適している。剛性のさらなる向上のためには、本実施形態のもののように、第１水平片１１ａの長手方向の寸法が側板２１の奥行き寸法とほぼ同等、あるいはやや小とされることが望ましい。また、水平板片１１が第１、第２固定片１３、１４に取り付けたビスなどの固定具を覆い隠すので、連結補強具１０によって見栄えが悪くなることもない。
【００３８】
また、第１水平片１１ａと第２水平片１１ｂとが交差した屈曲部１２の内側隅部１２ａがさらに内側に突出している。そのため、その部位では、水平方向に突出した板の板面にさらに広がりを持たせることができる。その結果、連結補強具１０の屈曲部１２が頑丈になり、連結補強具１０自体の変形、破損を防止することができ、側板２１が振れない剛性が強化された状態を長期間維持することができる。
【００３９】
さらに、本実施形態では、連結補強具１０が、その水平板片１１の上面と桟木２５の上端面２５ａとが略面一となるように取り付けてあるため、左右の連結補強具１０と桟木２５を利用して他の可動式の棚板を設置することもできる。
【００４０】
なお、連結補強具１０は強度保持のため本実施形態のように一体成形されていることが望ましい。少なくとも、第１水平片１１ａと第２水平片１１ｂとが一体に成形されていることが望ましい。また、連結補強具１０は、一体成形された水平板片１１と、第１、第２固定片１３、１４とが溶接などで一体としたものでもよい。さらに、連結補強具１０は金属製には限られず硬質樹脂製であってもよい。
【００４１】
また、本実施形態の連結補強具１０は、第１、第２固定片１３、１４が水平板片１１の下方に配されているが、上方に配されるように取り付けられるものであってもよい。このような構成のものでは、収納ユニット２０を壁面１に取り付けてから連結補強具１０を後付けする場合に、取り付け作業がしやすい。
【００４２】
ついで、図４にもとづいて連設収納ユニット２０Ａについて説明する。
【００４３】
この連設収納ユニット２０Ａは、図３に表した収納ユニット２０と左右対称形状の収納ユニット２０を、図３に２点鎖線で示したように、小さい寸法の側板２２が同じ高さ位置に隣り合うように並べた連設収納体である。いずれの収納ユニット２０にも、大きい寸法の側板２１に折戸（扉２９）が取り付けられている。なお、この連設収納ユニット２０Ａでは、２枚の扉２９を閉じれば中央の２枚の側板２２が隠れるため、また内部の仕切りとして側板２２を邪魔にならないようにするため、図例のように、隣り合う側板２２には板幅寸法がさらに小さいものが用いられている。
【００４４】
このような連設収納ユニット２０Ａは、玄関土間から上がり框にかけて取り付けることができる。すなわち、一方の収納ユニット２０（たとえば左側のもの）を上がり框（不図示）の床面に載せ置くように設置することができる。
【００４５】
この連設収納ユニット２０Ａには、連結補強具１０が、左右に配された大きい寸法の側板２１の２箇所に取り付けられている。この連設収納ユニット２０Ａにおける連結補強具１０の効果は、上述したものと同様のものについては説明を割愛する。なお、中央の両側板２２は、隣り合うことであるいは相互に固定されることで十分な強度が得られるため、中央には連結補強具１０を取り付けなくてもよいが、さらなる強度向上のため、その側板２２の寸法に合致した他の連結補強具を取り付けてもよい。
【００４６】
また、連結補強具１０が収納ユニット２０の下端に取り付けられるものではないため、収納ユニット２０の下端は平坦な状態を維持でき、収納ユニット２０を上がり框などの床面に直置きする場合でも、収納体ががたつくおそれはない。
【符号の説明】
【００４７】
１０            連結補強具
１１            水平板片
１１ａ          第１水平片
１１ｂ          第２水平片
１２            屈曲部
１２ａ          内側隅部
１３            第１固定片
１４            第２固定片
２０            収納ユニット
２１、２２      側板
２３            背板
２５            桟木
【図１】
0006548163.tif 000002
【図２】
0006548163.tif 000003
【図３】
0006548163.tif 000004
【図４】
0006548163.tif 000005